(57)【要約】【課題】  本発明は情報処理装置及び該装置に適用可能なフック機構に関し、異なる２つの閉じた状態を維持することができる２つの部材を有する簡単な構成の情報処理装置を提供することを主な課題としている。【解決手段】  第１面４Ａ及び第２面４Ｂを有する第１の部材４と、第２の部材２と、第１面４Ａが第２の部材２に対向する状態と第２面４Ｂが第２の部材２に対向する状態との間で部材２及び４が相対的に変位することができるように部材２及び４を連結する手段とから情報処理装置を構成し、第１の部材４が第１面４Ａ及び第２面４Ｂのいずれか一方から選択的に突出することができるようなフック部材２８を有するようにし、第２の部材２がフック部材２８が係合すべき穴８Ａ及び１２Ａを有するようにしたものである。【選択図】図５
2004310800.tif 000002
【特許請求の範囲】
【請求項１】
第１面及び第２面を有する第１の部材と、
第２の部材と、
前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、
前記第１の部材に設けられた、前記第１面側及び前記第２面側のいずれかに選択的に機能する第１の係合部であって、前記第１面側で機能する第１係合部材と前記第２面側で機能する第２係合部材を有する第１の係合部と、
前記第２の部材に設けられた、前記第１の係合部と係合する第２の係合部と、
前記第１の係合部の前記第１係合部材が前記第１面側で機能する状態に付勢する付勢部とを有することを特徴とする装置。
【請求項２】
前記第１の係合部は概ね直交するように前記第１係合部材と前記第２係合部材を配置して構成され、前記第１の係合部は前記第１の部材に概ね９０°の範囲で回転可能に配置され、
前記付勢部は前記第１の係合部をその回転方向に付勢することを特徴とする請求項１に記載の装置。
【請求項３】
第１面及び第２面を有する第１の部材と、
第２の部材と、
前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、
前記第１の部材に位置し、前記第１面側及び前記第２面側のいずれかに選択的に機能する第１の係合部であって、概ね直交するように配置された前記第１面側で機能する第１係合部材と前記第２面側で機能する第２係合部材を有し、前記第１の部材に概ね９０°の範囲で回転可能に配置された第１の係合部と、
前記第２の部材に配置され、前記第１の係合部と係合する第２の係合部と、
前記第１の係合部を回転方向に付勢する付勢部とを有することを特徴とする装置。
【請求項４】
前記第１の部材はスライダを有し、前記第１の係合部は前記スライダに配置されている請求項１〜３のいずれか１項に記載の装置。
【請求項５】
前記第１の部材はスライダを有し、前記第１の係合部は前記スライダに回転可能に配置されている請求項１〜３のいずれか１項に記載の装置。
【請求項６】
前記第１の状態では前記第１係合部材が前記第２の係合部と係合すると共に前記第２係合部材が前記第１の部材内に位置し、
前記第２の状態では前記第２係合部材が前記第２の係合部と係合すると共に前記第１係合部材が前記第１の部材内に位置する請求項１〜５のいずれか１項に記載の装置。
【請求項７】
前記連結部は、前記第１の部材を回転可能に支持する互いに直交する２軸を有する請求項１〜５のいずれか１項に記載の装置。
【請求項８】
前記第２の部材は第３面及び第４面を有し、
前記連結部は、前記第１面が前記第３面に対向する第１の状態と前記第２面が前記第４面に対向する第２の状態との間で前記第１及び第２の部材が相対的に変位することができるように前記第１及び第２の部材を連結する請求項１〜５のいずれか１項に記載の装置。
【請求項９】
前記連結部は各々前記第１の部材又は第２の部材を回転可能に支持する２軸を有する請求項８に記載の装置。
【請求項１０】
前記第１の状態では前記第１面及び第３面が互いに対向して前記第１の係合部と第２の係合部が係合し、前記第２の状態では前記第２面及び前記第４面が互いに対向して前記第１の係合部と第２の係合部が係合する請求項８に記載の装置。
【発明の詳細な説明】
【技術分野】
【０００１】
本発明は情報処理装置（又は単なる装置）及び該装置に適用可能なフック機構（又は係合機構）に関する。
【背景技術】
【０００２】
携帯に適する情報処理装置として、第１の部材（例えば表示ユニットを有するカバー）と、第２の部材（例えばキーボードユニットを有する装置本体）と、第１及び第２の部材を連結する連結部材とを備えた装置が知られている。第１の部材が第２の部材に対して閉じた状態は、その装置の持ち運びに際してのキーボードユニット及び表示ユニットの保護に適しており、第１の部材が第２の部材に対して開いた状態は、キーボードユニット及び／又は表示ユニットを用いたその装置の使用に適している。
【０００３】
このような装置に適用可能な従来の単純なフック機構としては、第１及び第２の部材の一方に変位可能なフック部材を設け、他方にフック部材が係合すべき穴を形成したものが知られている。第１の部材を第２の部材に対して閉じた状態でフック部材を穴に係合させることによりその閉じた状態が維持されるので、その装置の持ち運びが容易になり、また、フック部材の穴への係合を解除することにより、第１の部材を第２の部材に対して開くことができる。
【０００４】
近年においては、スタイラス（尖筆）を用いて入力を行うことができる情報処理装置が実用化されている。その装置では、表示ユニットの表面に透明なタッチパネルが設けられており、スタイラスの先端をタッチパネルに接触させることにより、入力が行われあるいはキーボード入力が補助される。また、スタイラスからの磁気を検出する電磁誘導方式のデジタイザを使用するタッチパネルもある。このデジタイザは、例えばＬＣＤの下に配置され、スタイラスがＬＣＤに触れた際に磁気を発し、その磁気をＬＣＤの下に設けられたデジタイザが検出し、ディスプレイ上でポイント又は入力をするものである。
【０００５】
スタイラスだけを用いて入力を行う場合、表示ユニットを有する第１の部材が第２の部材に対して開いていると、入力をし辛いことがある。そこで、第１の部材が第１面及び第２面を有しており、表示ユニットが第１面に設けられている場合には、第１面が第２の部材に対向する第１の状態と第２面が第２の部材に対向する第２の状態とが得られると便利である。即ち、第１及び第２の状態共に第１の部材は第２の部材に対して閉じており、第２の状態では表示ユニットがその装置の外に向いているので、タッチパネル及びスタイラスを用いた入力が容易になる。
【０００６】
第１及び第２の状態を得るために、第１及び第２の部材を連結する連結部材が改良され得る。改良された連結部材は、各々第１の部材を回転可能に支持する互いに平行な２軸を含み、あるいは、各々第１の部材を回転可能に支持する互いに直交する２軸を含む。
【発明の開示】
【発明が解決しようとする課題】
【０００７】
このような改良された連結部材と前述した従来の単純なフック機構とを組み合わせた場合、フック機構は第１及び第２の状態のいずれか一方においてだけしか閉じた状態を維持することができないので、スタイラスによる入力がし辛くなる等、操作性が悪くなる。
【０００８】
従来の単純なフック機構を２つ用いることによりこの問題を回避することができるが、その場合、構成が複雑になる。
【０００９】
よって、本発明の目的は、異なる２つの閉じた状態を維持することができる２つの部材を有する簡単な構成の情報処理装置を提供することにある。
【００１０】
本発明の他の目的は、そのような装置に適用可能なフック機構を提供することにある。
【課題を解決するための手段】
【００１１】
本発明の一側面によると、第１面及び第２面を有する第１の部材と、第２の部材と、前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、前記第１の部材に設けられた、前記第１面側及び前記第２面側のいずれかに選択的に機能する第１の係合部であって、前記第１面側で機能する第１係合部材と前記第２面側で機能する第２係合部材を有する第１の係合部と、前記第２の部材に設けられた、前記第１の係合部と係合する第２の係合部と、前記第１の係合部の前記第１係合部材が前記第１面側で機能する状態に付勢する付勢部とを有することを特徴とする装置が提供される。
【００１２】
本発明の他の側面によると、第１面及び第２面を有する第１の部材と、第２の部材と、前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、前記第１の部材に位置し、前記第１面側及び前記第２面側のいずれかに選択的に機能する第１の係合部であって、概ね直交するように配置された前記第１面側で機能する第１係合部材と前記第２面側で機能する第２係合部材を有し、前記第１の部材に概ね９０°の範囲で回転可能に配置された第１の係合部と、前記第２の部材に配置され、前記第１の係合部と係合する第２の係合部と、前記第１の係合部を回転方向に付勢する付勢部とを有することを特徴とする装置が提供される。
【発明の効果】
【００１３】
本発明によると、異なる２つの閉じた状態を維持することができる２つの部材を有する簡単な構成の情報処理装置の提供が可能になるという効果が生じる。
【発明を実施するための最良の形態】
【００１４】
以下、添付図面を参照して本発明の望ましい実施の形態を詳細に説明する。
【００１５】
以下の実施の形態では、携帯型の情報処理装置を例に説明するが、本発明は他の装置を除くものではない。情報処理装置以外の電子機器も本発明に含まれる。又、電子機器のみならず、電子的な回路等を有さない他の装置にも本発明は適用でき、本発明はそれらを包含するが、本発明の構成を、携帯型の情報処理装置に適用した場合を例に説明する。
【００１６】
図１乃至図３の各々は本発明による情報処理装置の実施形態を示す斜視図である。この装置は、ラップトップ型、ノートブック型、その他の携帯型の情報処理装置（パーソナルコンピュータ、ワードプロセッサ等）であり得る。この装置は、装置本体（第２の部材に対応）２と、カバー（第１の部材に対応）４と、装置本体２及びカバー４を連結する連結部材又は連結部６とを備えている。
【００１７】
装置本体２は、装置本体２の上面２Ａ及び下面２Ｂをそれぞれ提供するための上ハウジング８及び下ハウジング１０を含む。上ハウジング８には、データの入力等に供されるキーボードユニット１２が設けられている。即ち、装置本体２はその上面２Ａにキーボードユニット１２を有している。キーボードユニット１２はこの装置の入力部又は入力装置を構成する。
【００１８】
尚、“上”及び“下”の語は、図１に示される装置の状態に従って定義される。
【００１９】
カバー４は、カバー４の上面４Ａ及び下面４Ｂをそれぞれ提供するための上ハウジング１４及び下ハウジング１６を含む。カバー４の下ハウジング１６には、表示及びスタイラス入力に供される表示ユニット１８が設けられている。即ち、カバー４は、その下面４Ｂに表示ユニット１８を有している。表示ユニット１８は、例えば、ＬＣＤ（液晶ディスプレイ）パネルと、ＬＣＤパネル上に設けられる透明なタッチパネルとを有している。また、スタイラスからの磁気を検出する電磁誘導方式のデジタイザを使用するタッチパネルもある。このデジタイザは、ＬＣＤの下に配置され、スタイラスがＬＣＤに触れた際に磁気を発し、その磁気をＬＣＤの下に設けられたデジタイザが検出し、ディスプレイ上でポイント又は入力をするものである。表示ユニット１８はこの装置の表示部、表示装置又はタッチ入力装置を構成する。
【００２０】
カバー４が装置本体２に対して閉じた状態を解除可能に維持するために、カバー４はフック機構２０を有している。装置本体２及びカバー４の各々は概ね四角平板状であり、フック機構２０はカバー４の連結部材６とは反対の側の縁部に位置している。フック機構２０の位置をそのように設定しているのは、カバー４が装置本体２に対して閉じた状態を維持するためにフック機構２０に作用する力を最小限に抑えるためである。フック機構２０の構成及び動作の詳細については後述する。
【００２１】
この実施形態では、図４に良く示されるように、連結部材６は、各々カバー４を装置本体２に対して回転可能に支持するための互いに平行な２つの軸２２及び２４を有するように、簡単に構成され得る。具体的には、軸２２により連結部材６が装置本体２に対して概ね１８０°の範囲内で回転可能であり、軸２４によりカバー４は連結部材６に対して概ね１８０°の範囲内で回転可能である。その結果、カバー４は装置本体２に対して概ね３６０°の範囲で回転可能である。軸２２及び２４の各々は、カバー４及び装置本体２を回転可能に支持している。
【００２２】
このような連結部材６の採用により、図１に示されるようにカバー４の下面４Ｂが装置本体２に対向してカバー４が装置本体２に対して閉じた状態である第１の状態と、図３に示されるようにカバー４の上面４Ａが装置本体２に対向してカバー４が装置本体２に対して閉じた状態である第２の状態との間で、装置本体２及びカバー４が相対的に変位することができる。
【００２３】
図１に示される第１の状態では、カバー４の下面４Ｂが装置本体２の上面２Ａに対向し、図３に示される第２の状態では、カバー４の上面４Ａが装置本体２の下面２Ｂに対向する。
【００２４】
従って、第１の状態では、キーボードユニット１２及び表示ユニット１８は装置本体２及びカバー４間に閉じ込められるので、キーボードユニット１２及び表示ユニット１８の保護が可能になる。
【００２５】
また、第２の状態では、キーボードユニット１２及び表示ユニット１８がこの装置の外に向くので、例えば装置本体２を下にしてこの装置を手に持ちあるいは机の上に載置することによって、表示ユニット１８は上を向くことになり、表示ユニット１８を見ながらのスタイラスによる入力が容易である。
【００２６】
更に、装置本体２及びカバー４の各々と連結部材６との間の回転運動に対して適切な摩擦を与えることによって、図２に示されるように、第１及び第２の状態の間でカバー４を装置本体２に対して開いた状態でこれらを維持することができるので、表示ユニット１８を見ながらのキーボードユニット１２による入力が容易になる。図２に示される状態で、表示ユニット１８を用いてスタイラスによる入力を行っても良い。
【００２７】
図示はしないが、図１に示される第１の状態からカバー４を概ね１８０°回転させて、キーボードユニット１２及び表示ユニット１８が上を向いた状態でこの装置を使用してもよい。
【００２８】
図５の（Ａ）及び（Ｂ）はフック機構の第１実施形態を示す断面図、図６はフック機構の第１実施形態の主要部を示す分解斜視図である。具体的には、図５の（Ａ）には図１における５Ａ−５Ａ線に沿ったフック機構２０の断面が示されており、図５の（Ｂ）には図３における５Ｂ−５Ｂ線に沿ったフック機構２０の断面が示されており、図６にはフック機構２０の主要部が示されている。
【００２９】
図６に良く示されるように、フック機構２０は、スライダ２６と、スライダ２６に対して概ね９０°の範囲で回転可能に設けられる係合部としてのフック部材２８とを含む。スライダ２６は、その上部及び底部が開放された箱型のフレーム３０と、フレーム３０の長手方向の両端から互いに反対の向きにそれぞれ突出する比較的短いスライディングシャフト３２及び比較的長いスライディングシャフト３４とを有している。フレーム３０の一方の側部にはスライドボタン３６が設けられている。
【００３０】
フック部材２８は、概ね直交するように配置される第１の係合部材としての第１の爪部３８及び第２の係合部材としての第２の爪部４０を有している。爪部３８及び４０は実質的に互いに鏡像の関係にある。フック部材２８は、更に、フック部材２８の回転中心となるシャフト４２と、シャフト４２の近傍に形成される突起４６とを有している。
【００３１】
フック部材２８は、その一方の側でシャフト４２を囲むようにスプリング４４を装着され、シャフト４２の両端をフレーム３０に形成された一対の穴３０Ａ及び３０Ｂに挿入することで、スライダ２６に装着される。スプリング４４は付勢部又は付勢部材を構成する。
【００３２】
フレーム３０の内側には、フック部材２８の回転可能な範囲を概ね９０°に制限するためのストッパ４８が形成されている。スプリング４４の一端４４Ａはフック部材２８の突起４６に当接しており、スプリング４４の他端４４Ｂは、フレーム３０の内側に形成された図示しない段差に当接している。スプリング４４は、その一端４４Ａ及び他端４４Ｂのなす角度を大きくしようとする弾性復元力によって、第１の爪部３８の背中がストッパ４８に当接する方向にフック部材２８を付勢している。
【００３３】
長い方のスライディングシャフト３４にはコイルスプリング５０が装着される。
【００３４】
図５の（Ａ）に良く示されるように、カバー４の下ハウジング１６には、カバー４内に突出する２つのスライダ受け部５２及び５４が形成されている。スライダ２６のスライディングシャフト３２及び３４は、それぞれ、スライダ受け部５２及び５４によりスライド可能に支持されている。従って、スライダ２６は、カバー４内でスライド可能である。コイルスプリング５０は、スライダ受け部５４とスライダ２６のフレーム３０との間に介在しており、従って、コイルスプリング５０は、スライダ受け部５４からスライダ受け部５２へ向かう方向にスライダ２６を付勢している。
【００３５】
カバー４の上ハウジング１４は、フック部材２８の第２の爪部４０がカバー４の上面４Ａから突出することができるように、開口１４Ａを有している。カバー４の下ハウジング１６は、フック部材２８の第１の爪部３８がカバー４の下面４Ｂから突出することができるように、開口１６Ａを有してる。下ハウジング１６における開口１６Ａの周囲の部分は下に向けて滑らかに湾曲しており、それにより、第１の状態において装置本体２とカバー４との間に予め定められた間隔が得られている。
【００３６】
装置本体２の上ハウジング８は、フック部材２８の第１の爪部３８が係合すべき被係合部としての穴部又は穴８Ａを有している。装置本体２の下ハウジング１０は、フック部材２８の第２の爪部４０が係合すべき被係合部としての穴部又は穴１０Ａを有している。
【００３７】
スライドボタン３６は、例えば図１に示されるように、カバー４の外側に向けられている。スライドボタン３６は、カバー４の図示しない開口を介してカバー４の内側のスライダ２６に連結されている。従って、スライドボタン３６を動かすことによって、コイルスプリング５０の付勢力に抗してスライダ２６を図５の（Ａ）において左から右に向けて動かすことができる。
【００３８】
図２に示される状態から図１に示される第１の状態にするときのフック機構２０の動作を詳細に説明する。図２に示される状態では、スプリング４４の付勢力により、フック部材２８の第１の爪部３８の背中がストッパ４８に押し付けられているので、第１の爪部３８は、開口１６Ａを介してカバー４の下面４Ｂから突出している。このとき、フック部材２８の第２の爪部４０はカバー４内に位置している。
【００３９】
この状態から図１に示される第１の状態に向けてカバー４を装置本体２に閉じていくと、第１の爪部３８の外側のテーパが開口８Ａに形成されたテーパに当接し、テーパ同士の摺動によりフック部材２８に加わる力の向きが変換され、カバー４を装置本体２に対して閉じようとする力によってコイルスプリング５０が僅かに縮む。その後、第１の爪部３８の先端が開口８Ａのテーパの先端を通過すると、コイルスプリング５０の縮みが開放され、図５の（Ａ）に示されるように、第１の爪部３８の内側の水平面が開口８Ａの近くで装置本体２の上ハウジング８の内面に係止する。このようにしてフック部材２８が開口８Ａに係合すると、図１に示される第１の状態が維持される。
【００４０】
図１に示される第１の状態から図２に示される状態にする場合には、スライドボタン３６を用いてスライダ２６をスライドされてコイルスプリング５０を縮ませる。そうすると、第１の爪部３８の開口８Ａへの係合が解除され、第１の爪部３８は開口８Ａ内を通過することができる。
【００４１】
次に、図２に示される状態から図３に示される第２の状態にするときのフック部材２０の動作を説明する。図２に示される状態では、スプリング４４の付勢力により第１の爪部３８の背中がストッパ４８に当接しており、フック部材２８は安定している。スプリング４４の付勢力に抗する力を指により第１の爪部３８に加えると、第２の爪部４０の背中がストッパ４８に当接するまでフック部材２８を回転させることができる。即ち、フック部材２８は図５の（Ａ）に示される状態から時計周りに９０°回転する。フック部材２８の回転の結果、第１の爪部３８はカバー４内に位置し、第２の爪部４０がカバー４の上面４Ａから開口１４Ａを介して突出することになる。
【００４２】
従って、指により開口１６Ａを塞ぐようにしてこの状態を維持しながら、図３に示される第２の状態に向けてカバー４を装置本体２に対して閉じて行くと、図５の（Ｂ）に示されるように、第１の状態を得る場合と同じようにして、第２の爪部４０を装置本体２の下ハウジング１０の開口１０Ａに係合させることができる。従って、フック機構２０により、図３に示される第２の状態を維持することができる。
【００４３】
図３に示される第２の状態から図２に示される状態にする場合には、スライドボタン３６を動かすことによりスライダ２６をスライドさせてコイルスプリング５０を縮ませる。そうすると、フック部材２８の第２の爪部４０が開口１０Ａを通過することができるようになるので、カバー４を開けることができる。このとき、カバー４が装置本体２から離れると、スプリング４４の付勢力が開放されるので、フック部材２８は自動的に９０°回転して図２に示される安定な状態に戻る。
【００４４】
この実施形態において、スプリング４４を用いてフック部材２８を図２に示されるように安定させているのは、通常、図２に示される状態から図１に示される第１の状態に向けてカバー４を閉じる動作の方が、図２に示される状態から図３に示される第２の状態に向けてカバー４を閉じる動作よりも圧倒的に多く行われ、図２に示されるようなフック部材２８の安定位置が前者の動作に対して有利だからである。
【００４５】
図１に示される第１の状態を維持することができ、且つ、図３に示される第２の状態を維持することができるようにするために、前述したような従来の単純なフック機構を採用することが提案されるかも知れない。しかし、この場合、第１の状態を維持するために１つのフック機構が必要であり、第２の状態を維持するためにもう１つのフック機構が必要になるので、構成が複雑になる。そればかりでなく、第１の状態においては第２の状態を維持するためのフック機構が邪魔になり、第２の状態においては第１の状態を維持するためのフック機構が邪魔になるので、装置の操作性が悪くなると共に装置の見栄えが悪くなる。
【００４６】
これに対して、本実施形態においてカバー４に設けられたフック機構２０では、カバー４の上面４Ａ及び下面４Ｂのいずれか一方から選択的にフック部材２８が突出することができるように、フック部材２８は第１の爪部３８と第２の爪部４０とを有しているので、第１及び第２の状態の各々においてフック機構２０を動作させることによって、第１及び第２の状態のいずれにあってもフック部材２８が装置の外に突出することがなく、装置の操作性が向上すると共に装置の見栄えが良くなる。
【００４７】
また、フック機構２０を用いて第１及び第２の状態の各々を維持することによって、装置の持ち運びが便利になる。
【００４８】
更に、フック機構２０を用いて図３に示される第２の状態を維持することにより、図３の状態で装置を手に持ちあるいは装置を机の上に載置して表示ユニット１８及びスタイラスを用いて入力を行う場合に、装置の形態の安定性が増し、操作性が向上する。
【００４９】
また、単一部材であるフック部材２８を第１及び第２の状態を維持するために兼用しているので、前述したような従来の単純なフック機構を２つ用いる場合と比較して、装置の構成が簡単になる。
【００５０】
また、フック機構２０を用いて第１及び第２の状態の各々を維持しているときには、フック部材２８は装置の外側に突出しないので、安全性が確保される。
【００５１】
また、フック部材２８の回転を戻すためにスプリング４４を採用しているので、図２に示されるようなフック部材２８が待機しているべき位置にフック部材２８を自動的に戻すことができ、操作性が向上すると共に安全性が増す。
【００５２】
以上、図１乃至図６の実施の形態では、フック機構２０として、カバー４側に設けたものを説明した。しかし、フック機構２０を装置本体２側に設ける変形も可能である。この場合は、フック部材２８は、本体２のキーボード側又はキーボードの背面側のいずれかに突出するように、回転可能に、装置本体４に設けられる。そして、フック部材２８が係合する穴１０Ａ及び８Ａがカバー２の両面に設けられる。即ち、カバー４に設けられたフック機構２０に関する構成と、装置本体２に設けられたフック機構に関連する構成（フックと係合するもの）を、それぞれ、装置本体２とカバー４側に置き換えて配置すればよい。
【００５３】
また、フック部材２８等の第１の係合部（又は係合部）が係合すべき第２の係合部（又は被係合部）として穴（又は開口）を例示したが、突起、凹凸、輪等の他の形状を有する第２の係合部（又は被係合部）も採用可能である。
【００５４】
又、本発明の第１の係合部（又は係合部）の例として、フック部材２８を例示したが、カバー４と装置本体２に設けられるものは、両者が係合する関係であればよく、フック部材と穴である必要はない。図で例示したフック部材である必要はなく、何らかの留め具であれば良い。第１の係合部と第２の係合部の関係は、両者が係合すれば良いので、装置本体２側のハウジング内部にフック部材を設けて、カバー４に設けられた前記フック部材２８と係合するように構成してもよい。
【００５５】
図７の（ａ）及び（ｂ）は本発明による情報処理装置の他の実施形態を示す斜視図である。符号１１１は装置本体を示しており、装置本体１１１は入力操作を行うためのキーボードユニット１１２を有している。符号１１３はカバーを示しており、カバー１１３は、概略矩形状の板状に形成され、水平な第１の軸１１４により、装置本体１１１に開閉可能に支持されている。カバー１１３は、第１の軸１１４を中心として閉じた状態で、キーボードユニット１１２に対向する面（表面）に表示ユニット１１５を備えている。
【００５６】
また、カバー１１３は、図７の（ｂ）に示されるように、第１の軸１１４を中心として開いた状態で、第１の軸１１４に概ね直交する第２の軸１１６を中心として、表面と裏面を入れ換えるように概ね１８０°回転することができるようになっている。
【００５７】
カバー１１３を第２の軸１１６を中心として反転した状態で、第１の軸１１４を中心としてカバー１１３を閉じることにより、図７の（ｂ）に示されるように、表示ユニット１１５を上に向けた状態で、キーボードユニット１１２の上にカバー１１３が位置するようになっている。
【００５８】
この装置を使用しない場合には、表示ユニット１１５がキーボードユニット１１２に対面するようにして、カバー１１３を閉じておくことにより、表示ユニット１１５及びキーボードユニット１１２がカバー１１３によって保護される。
【００５９】
この装置を使用する場合であって、キーボードユニット１１２及びスタイラスを用いて入力操作を行う場合には、図７の（ａ）に示されるように、カバー１１３を第１の軸１１４を中心として開いた状態にする。スタイラスのみを用いて入力操作を行う場合には、図７の（ｂ）に示されるように、カバー１１３を開いた状態から第２の軸１１６を中心として反転させた後、第１の軸１１４を中心としてカバー１１３を閉じた状態にする。
【００６０】
この装置には、持ち運び等の観点から、カバー１１３を装置本体１１１に対して閉じた状態を維持するために、図８の（ａ）及び（ｂ）並びに図９に示されるようなフック機構の第２実施形態が採用されている。
【００６１】
装置本体１１１のハウジング１１７におけるキーボードユニット１１２の両脇には、各々概略矩形状の貫通した長穴である２つの穴１１８が形成されている。また、カバー１１３のハウジング１１９における表示ユニット１１５の両脇には、各々矩形状の貫通する長穴である２つの穴１２０が穴１１８に対応して形成されている。
【００６２】
ハウジング１１９の表面１１９ａに対して反対側の面（裏面）１１９ｂの穴１１８にそれぞれ対応する位置には、各々概略矩形状の貫通する長穴である穴１２１が形成されている。
【００６３】
符号１２２は各穴１１８に解除可能に係合する係合部材としての爪部１２２ａを有するフック部材（係合部）を表している。フック部材１２２は、凸部１２２ｂを有する弾性部及び矩形状の穴を有する円柱状の突起１２２ｃを有している。
【００６４】
符号１２３はホルダ部材（スライダ）を表しており、ホルダ部材１２３には軸部材１２４が一体的に固定されている。ハウジング１１９の内面の穴１２０及び１２１に対応する位置の近傍には、一対の支持部材１２５が一体的に設けられている。
【００６５】
各支持部材１２５には貫通穴が形成されており、これらの貫通穴に軸部材１２４が挿入されることにより、ホルダ部材１２３がスライド可能に支持されている。
【００６６】
フック部材１２２は、突起部１２２ｃがホルダ部材１２３の貫通穴１２３ａに挿入された状態で、つまみ部材１２６がハウジング１１９の側面に形成された貫通穴に外側から挿入され、更にフック部材１２２の突起部１２２ｃの矩形状の穴に挿入され、反対側からネジ１２７がつまみ部材１２６の先端に螺合されることにより、ホルダ部材１２３に回転可能に取り付けられている。
【００６７】
符号１２８は、フック部材１２２を爪部１２２ａが穴１１８に係合するように付勢するコイルバネを表している。また、ホルダ部材１２３には、フック部材１２２の凸部１２２ｂが係合可能な凹部１２３ｂが形成されている。フック部材１２２には、一対のスリット１２２ｄが形成されることにより、凸部１２２ｂが弾性的に支持されている。
【００６８】
この情報処理装置を使用しない場合には、つまみ部材１２６を回転してフック部材１２２の爪部１２２ａが穴１２０を通過して表面（表示ユニット１１５側の面）１１９ａから突出した状態として、カバー１１３を表示ユニット１１５がキーボードユニット１１２に対面するように第１の軸１１４を中心として閉じると、フック部材１２２の爪部１２２ａがコイルバネ１２８の付勢力により穴１１８に係合し、カバー１１３が装置本体１１１に対して閉じた状態となる。
【００６９】
カバー１１３を第１の軸１１４を中心として開く場合には、つまみ部材１２６をコイルバネ１２８の付勢力に抗してスライドさせることにより、フック部材１２２の爪部１２２ａの穴１１８に対する係合が解除される。
【００７０】
この情報処理装置を使用する場合であって、スタイラスを用いて入力操作を行う場合には、カバー１１３を開いた状態（図７の（ａ）の状態）から第２の軸１１６を中心として反転させ、つまみ部材１２６を回転してフック部材１２２の爪部１２２ａが穴１２１を通過して裏面１１９ｂ側に突出した状態とする。
【００７１】
そして、カバー１１３を裏面１１９ｂがキーボードユニット１１２に対面するように第１の軸１１４を中心として閉じると、フック部材１２２の爪部１２２ａがコイルバネ１２８の付勢力により穴１１８に係合し、図７の（ｂ）に示されている状態で、カバー１１３が装置本体１１１に対して閉じた状態となる。
【００７２】
カバー１１３を第１の軸１１４を中心として開く場合には、つまみ部材１２６をコイルバネ１２８の付勢力に抗してスライドさせることにより、フック部材１２２の爪部１２２ａの穴１１８に対する係合が解除される。
【００７３】
フック部材１２２は、爪部１２２ａが穴１２０又は穴１２１から突出した状態で、凸部１２２ｂがホルダ部材１２３の凹部１２３ｂに弾性的に係合する。従って、フック部材１２２を回転したときの位置決めが確実であり、爪部１２２ａの穴１１８への係合が確実になされるようになっている。
【００７４】
この第２実施形態によると、フック部材１２２を１８０°回転させることにより、単一の爪部１２２ａを、穴１２０又は１２１から選択的に突出させるように構成したので、表示ユニット１１５が装置本体１１１に対面した状態のみならず、表示ユニット１１５を上に向けた状態でもカバー１１３を装置本体１１１にロックすることができるようになり、いずれの状態においても支障なく持ち運びできるようになる。
【００７５】
また、フック部材１２２の回転により、表示ユニット１１５を上に向けた状態でもフック部材１２２の爪部１２２ａをハウジング１１９内に収容することができ、フック部材１２２の爪部１２２ａが突出していることによる操作に対する支障もなくなる。
【００７６】
また、図８，９のフック部材を、図１乃至図４で説明したカバー４が装置本体２に対して概ね３６０°回転可能な装置（又は、連結部材６が２軸を有し、カバー４と装置本体が、それぞれの軸で概ね１８０°回転可能な装置）のフック機構等の係合部に置き換えることも可能である。図２のカバー４に関して、図８，９のフック機構を、図２，３，５，６のフック機構２０のフック部材２８及びスライドボタン３６等と置き換えれば良い。
【００７７】
この場合、図２の状態で、表示ユニット１８とキーボードユニット１２を対向させて、装置を閉じる場合（図１の状態）は、置き換えられた図８，９のフック機構の爪部１２２ａを、表示ユニット側に回転させれば、図１の状態で、装置本体２とカバー４をフック機構で固定できる。
【００７８】
また、図３の状態で閉じる場合（キーボードユニット１２と表示ユニット１８が、背中合わせになる場合）は、置き換えられた図８，９のフック機構の爪部１２２ａを、表示ユニット１８の反対側に回転させれば、図３の状態で、装置本体２とカバー４をフック機構で固定できる。
【００７９】
従って、表示ユニット１８とキーボードユニット１２を対向させて装置を閉じる場合と、キーボード１２と表示ユニット１８が、背中合わせの状態（図３）で閉じる場合の両方において、フック機構の第２実施形態を利用して、装置本体２とカバー４を固定することができる。
【００８０】
また、フック機構を装置本体２側に配置し、フック機構が係合する開口をカバー４に配置することも可能である。即ち、カバー４側のフック機構に関する構成と、装置本体２側の開口に関する構成を置き換えればよい。この置き換えの構成は、図７の装置に、本フック機構の実施の形態を採用する場合でも適用できる。
【００８１】
また、フック部材１２２が係合すべき第２の係合部（又は被係合部）として穴（又は開口）を例示したが、突起、凹凸、輪等の他の形状を有する第２の係合部（又は被係合部）も採用可能である。
【００８２】
又、本発明の第１の係合部（又は係合部）の例として、フック部材１２２を例示したが、カバー４（又は１１３）と装置本体２（又は１１１）に設けられるものは、両者が係合する関係であればよく、フック部材と穴である必要はない。図で例示したフック部材である必要はなく、何らかの留め具であれば良い。第１の係合部（又は係合部）と第２の係合部（又は被係合部）の関係は、両者が係合すれば良いので、装置本体２（又は１１１）側のハウジング内部にフック部材を設けて、カバー４（又は１１３）に設けられた前記フック部材１２２と係合するように構成してもよい。
【００８３】
図１０の（ａ）及び（ｂ）並びに図１１を参照すると、フック機構の第３実施形態が示されている。
【００８４】
符号１３１は、ハウジング１１７の穴１１８に解除可能に係合する係合部材としての一対の爪部１３１ａ及び１３１ｂを有するフック部材（係合部）を表している。爪部１３１ａ及び１３１ｂは概ね互いに直交するように配置されている。フック部材１３１は、中央部に貫通穴１３１ｃを有しており、また、一対の凹部１３１ｄを有している。
【００８５】
符号１３２はホルダ部材（スライダ）を表しており、ホルダ部材１３２には軸部材１２４が一体的に固定されている。ホルダ部材１３２は、円柱状の突起部１３２ａ、矩形穴１３２ｂ及びバネ取り付け用の一対の突起１３２ｃを有しており、突起１３２ｃには、凸部１３３ａを有するバネ１３３が取り付けられている。
【００８６】
フック部材１３１は、その貫通穴１３１ｃにホルダ部材１３２の突起部１３２ａを挿入した状態で、ネジ１３４が突起部１３２ａの先端に螺合されることにより、ホルダ部材１３２に回転可能に支持される。
【００８７】
符号１３５はつまみ部材を表しており、つまみ部材１３５は、一対の係合突起１３５ａを有しており、各係合突起１３５ａがハウジング１１９の側面に形成された貫通穴１１９ｃに外側から挿入され、更にホルダ部材１３２の矩形穴１３２ｂに挿入・係合されることにより、ホルダ部材１３２に固定される。符号１２８は、フック部材１３１をその爪部１３１ａ又は１３１ｂが穴１１８に係合するように付勢するコイルバネを表している。
【００８８】
この情報処理装置を使用しない場合には、フック部材１３１を回転してフック部材１３１の一方の爪部１３１ａが穴１２０を通過して表面（表示ユニット１１５側の面）１１９ａから突出した状態とする。そして、カバー１１３を表示ユニット１１５がキーボードユニット１１２に対面するように第１の軸１１４を中心として閉じると、フック部材１３１の爪部１３１ａがコイルバネ１２８の付勢力により穴１１８に係合し、カバー１１３が装置本体１１１に対して閉じた状態になる。
【００８９】
カバー１１３を第１の軸１１４を中心として開く場合には、つまみ部材１３５をコイルバネ１２８の付勢力に抗してスライドさせることにより、フック部材１３１の爪部１３１ａの穴１１８に対する係合が解除される。
【００９０】
この情報処理装置を使用する場合であって、スタイラスを用いて入力操作を行う場合には、カバー１１３を開いた状態（図７の（ａ）の状態）から第２の軸１１６を中心として反転させ、フック部材１３１を回転してフック部材１３１の他方の爪部１３１ｂが穴１２１を通過して裏面１１９ｂ側に突出した状態とする。
【００９１】
そして、カバー１１３を裏面１１９ｂがキーボードユニット１１２に対面するように第１の軸１１４を中心として閉じると、フック部材１３１の爪部１３１ｂがコイルバネ１２８の付勢力により穴１１８に係合し、図７の（ｂ）に示されている状態で、カバー１１３が装置本体１１１に対して閉じた状態になる。
【００９２】
カバー１１３を第１の軸１１４を中心として開く場合には、つまみ部材１３５をコイルバネ１２８の付勢力に抗してスライドさせることにより、フック部材１３１の爪部１３１ｂの穴１１８に対する係合が解除される。
【００９３】
フック部材１３１は、一方の爪部１３１ａが穴１２０から突出した状態又は他方の爪部１３１ｂが穴１２１から突出した状態で、バネ１３３の凸部１３３ａがフック部材１３１の凹部１３１ｄに弾性的に係合するので、フック部材１３１を回転したときの位置決めが確実であり、爪部１３１ａ又は１３１ｂの穴１１８への係合が確実になされるようになっている。
【００９４】
第３実施形態によると、フック部材１３１を概ね９０°回転させることにより、一方の爪部１３１ａを穴１２０から、又は他方の爪部１３１ｂを穴１２１から選択的に突出させるように構成したので、表示ユニット１１５が装置本体１１１に対面した状態のみならず、表示ユニット１１５を上に向けた状態でもカバー１１３を装置本体１１１にロックすることができるようになり、いずれの状態においても支障なく持ち運びできるようになる。
【００９５】
また、フック部材１３１の回転により、表示ユニット１１５を上に向けた状態でもフック部材１３１の爪部１３１ｂをハウジング１１９内に収容することができ、フック部材１３１の爪部１３１ｂが突出していることによる操作に対する支障もなくなる。
【００９６】
また、図１０，１１のフック部材を、図１乃至図４で説明したカバー４が装置本体２に対して概ね３６０°回転可能な装置（又は、連結部材６が２軸を有し、カバー４と装置本体が、それぞれの軸で概ね１８０°回転可能な装置）のフック機構等の係合部に置き換えることも可能である。図２のカバー４に関して、図１０，１１のフック機構を、図２，３，５，６のフック機構２０のフック部材２８及びスライドボタン３６等と置き換えればよい。
【００９７】
この場合、図２の状態で、表示ユニット１８とキーボードユニット１２を対向させて、装置を閉じる場合（図１の状態）は、置き換えられた図１０，１１のフック機構の爪部１３１ａを、表示ユニット側に回転させれば、図１の状態で、装置本体２とカバー４をフック機構で固定できる。
【００９８】
また、図３の状態で閉じる場合（キーボードユニット１２と表示ユニット１８が、背中合わせになる場合）は、置き換えられた図１０，１１のフック機構の爪部１３１ｂを、表示ユニット１８の反対側に回転させれば、図３の状態で、装置本体２とカバー４をフック機構で固定できる。
【００９９】
従って、表示ユニット１８とキーボード１２を対向させて装置を閉じる場合と、キーボードユニット１２と表示ユニット１８が、背中合わせの状態（図３）で閉じる場合の両方において、フック機構の第３実施形態を利用して、装置本体２とカバー４を固定することができる。
【０１００】
また、フック機構を装置本体２側に配置し、フック機構が係合する開口をカバー４に配置することも可能である。即ち、カバー４側のフック機構に関する構成と、装置本体２側の開口に関する構成を置き換えればよい。この置き換えの構成は、図７の装置に、本フック機構の実施の形態を採用する場合でも適用できる。
【０１０１】
また、フック部材１３１が係合すべき第２の係合部（又は被係合部）として穴（又は開口）を例示したが、突起、凹凸、輪等の他の形状を有する第２の係合部（又は被係合部）も採用可能である。
【０１０２】
又、本発明の第１の係合部（又は係合部）の例として、フック部材１３１を例示したが、カバー４（又は１１３）と装置本体２（又は１１１）に設けられるものは、両者が係合する関係であればよく、フック部材と穴である必要はない。図で例示したフック部材である必要はなく、何らかの留め具であれば良い。第１の係合部（又は係合部）と第２の係合部（又は被係合部）の関係は、両者が係合すれば良いので、装置本体２（又は１１１）側のハウジング内部にフック部材を設けて、カバー４（又は１１３）に設けられた前記フック部材１３１と係合するように構成してもよい。
【０１０３】
図１２の（ａ）及び（ｂ）並びに図１３を参照すると、フック機構の第４実施形態が示されている。
【０１０４】
符号１４１は、ハウジング１１７の穴１１８に解除可能に係合する係合部材としての一対の爪部１４１ａ及び１４１ｂを有するフック部材（係合部）を表している。爪部１４１ａ及び１４１ｂは、互いに反対方向に突出するように形成されており、中央の本体部には貫通する丸穴１４１ｃが形成されている。
【０１０５】
符号１４２はホルダ部材（スライダ）を表しており、ホルダ部材１４２は一対の矩形状の枠部材を一体的に固着してなり、上下に溝１４２ａを有している。ホルダ部材１４２には軸部材１４３が一体的に固定されている。軸部材１４３の先端部１４３ａは先細に形成されている。
【０１０６】
ハウジング１１９の内面の穴１２０及び１２１に対応する位置の近傍には、一対の支持部材１４４及び１４５が設けられている。支持部材１４４には、上下に一対の貫通穴１４４ａ及び１４４ｂが形成されており、支持部材１４５には溝１４５ａが形成されており、貫通穴１４４ａ及び１４４ｂのいずれか一方及び溝１４５ａに軸部材１４３が挿入されることにより、ホルダ部材１４２がスライド可能に支持されている。
【０１０７】
フック部材１４１は、フック部材１４１の本体部がホルダ部材１４２の枠部材の内側に位置し、爪部１４１ａ及び１４１ｂが溝１４２ａを貫通して上下に突出するように配置されることにより、ホルダ部材１４２の内側でスライド可能に支持されている。符号１４６はコイルバネを表しており、コイルバネ１４６は、フック部材１４１をホルダ部材１４２の内側で、爪部１４１ａ又は１４１ｂが穴１１８に係合する方向に付勢する。
【０１０８】
ハウジング１１９の側面には、図１２の（ｂ）及び図１３に示されるように、概略Ｕ字又はＶ字を横向きにしたような形状の切溝１４７が形成されている。符号１４８はつまみ部材を表しており、つまみ部材１４８は、円柱状の突起１４８ａが外側から切溝１４７に挿入され、フック部材１４１の本体部の貫通穴１４１ｃに挿入され、つまみ部材１４８の突起１４８ａの先端にネジ１４９が螺合されることにより、フック部材１４１に取り付けられている。
【０１０９】
符号１５０は、ホルダ部材１４２を支持部材１４４側に付勢するコイルバネを表している。ハウジング１１９の内部には、ホルダ部材１４２のスライドを制限するための一対のストッパ部材１５１及び１５２が設けられている。
【０１１０】
この情報処理装置を使用しない場合には、つまみ部材１４８を切溝１４７に沿って表面１１９ａ（表示ユニット１１５）側に移動すると、コイルバネ１５０の付勢力により、ホルダ部材１４２の軸部材１４３の先端１４３ａが支持部材１４４の表面１１９ａ側の穴１４４ａに挿入されると共に、ホルダ部材１４２がストッパ部材１５１に当接し、フック部材１４１の一方の爪部１４１ａが穴１２０を通過して表面１１９ａから突出した状態となる。
【０１１１】
この状態で、カバー１１３を表示ユニット１１５がキーボードユニット１１２に対面するように第１の軸１１４を中心として閉じると、フック部材１４１の一方の爪部１４１ａがコイルバネ１４６の付勢力により穴１１８に係合し、カバー１１３が装置本体１１１に対して閉じた状態となる。
【０１１２】
カバー１１３を第１の軸１１４を中心として開く場合には、つまみ部材１４８をコイルバネ１４６の付勢力に抗してスライドさせることにより、フック部材１４１がホルダ部材１４２内でスライドし、フック部材１４１の爪部１４１ａの穴１１８に対する係合が解除される。
【０１１３】
この情報処理装置を使用する場合であって、スタイラスを用いて入力操作を行う場合には、カバー１１３を開いた状態（図７の（ａ）の状態）から第２の軸１１６を中心として反転させ、つまみ部材１４８を切溝１４７に沿って裏面１１９ｂ側に移動すると、コイルバネ１５０の付勢力により、ホルダ部材１４２の軸部材１４３の先端１４３ａが支持部材１４４の裏面１１９ｂ側の穴１４４ｂに挿入されると共に、ホルダ部材１４２がストッパ部材１５２に当接し、フック部材１４１の爪部１４１ｂが穴１２１を通過して裏面１９１ｂから突出した状態となる。
【０１１４】
そして、カバー１１３を裏面１１９ｂがキーボードユニット１１２に対面するように第１の軸１１４を中心として閉じると、フック部材１４１の爪部１４１ｂがコイルバネ１４６の付勢力により穴１１８に係合し、図７の（ｂ）に示されている状態で、カバー１１３が装置本体１１１に対して閉じた状態となる。
【０１１５】
カバー１１３を第１の軸１１４を中心として開く場合には、つまみ部材１４８をコイルバネ１４６の付勢力に抗してスライドさせることにより、フック部材１４１がホルダ部材１４２内でスライドし、フック部材１４１の爪部１４１ｂの穴１１８に対する係合が解除される。
【０１１６】
第４実施形態によると、フック部材１４１の爪部１４１ａ及び１４１ｂの各々の長さを適切に設定することにより、フック部材１４１の爪部１４１ａを穴１２０から、又はフック部材１４１の爪部１４１ｂを穴１２１から選択的に突出させるように構成したので、表示ユニット１１５が装置本体１１１に対面した状態のみならず、表示ユニット１１５を上に向けた状態でもカバー１１３を装置本体１１１にロックすることができるようになり、いずれの状態においても支障なく持ち運びできるようになる。
【０１１７】
また、フック部材１４１は穴１２０及び１２１の各々の長手方向にスライドできるのみならず、穴１２０及び穴１２１に渡る方向にもスライドできるようにしたので、表示ユニット１１５を上に向けた状態でもフック部材１４１の爪部１４１ｂをハウジング１１９内に収容することができ、フック部材１４１の爪部１４１ｂが突出していることによる操作に対する支障もなくなる。
【０１１８】
また、図１２，１３のフック部材を、図１乃至図４で説明したカバー４が装置本体２に対して概ね３６０°回転可能な装置（又は、連結部材６が２軸を有し、カバー４と装置本体が、それぞれの軸で概ね１８０°回転可能な装置）のフック機構等の係合部に置き換えることも可能である。図２のカバー４に関して、図１２，１３のフック機構を、図２，３，５，６のフック機構２０のフック部材２８及びスライドボタン３６等と置き換えればよい。
【０１１９】
この場合、図２の状態で、表示ユニット１８とキーボードユニット１２を対向させて、装置を閉じる場合（図１の状態）は、置き換えられた図１２，１３のフック機構の爪部１４１ａを、表示ユニット側に回転させれば、図１の状態で、装置本体２とカバー４をフック機構で固定できる。
【０１２０】
また、図３の状態で閉じる場合（キーボードユニット１２と表示ユニット１８が、背中合わせになる場合）は、置き換えられた図１２，１３のフック機構の爪部１４１ｂを、表示ユニット１８の反対側に回転させれば、図３の状態で、装置本体２とカバー４をフック機構で固定できる。
【０１２１】
従って、表示ユニット１８とキーボードユニット１２を対向させて装置を閉じる場合と、キーボードユニット１２と表示ユニット１８が、背中合わせの状態（図３）で閉じる場合の両方において、フック機構の第４実施形態を利用して、装置本体２とカバー４を固定することができる。
【０１２２】
また、フック機構を装置本体２側に配置し、フック機構が係合する開口をカバー４に配置することも可能である。即ち、カバー４側のフック機構に関する構成と、装置本体２側の開口に関する構成を置き換えればよい。この置き換えの構成は、図７の装置に、本フック機構の実施の形態を採用する場合でも適用できる。
【０１２３】
また、フック部材１４１が係合すべき第２の係合部（被係合部）として穴（又は開口）を例示したが、突起、凹凸、輪等の他の形状を有する第２の係合部（被係合部）も採用可能である。
【０１２４】
又、本発明の第１の係合部（又は係合部）の例として、フック部材１４１を例示したが、カバー４（又は１１３）と装置本体２（又は１１１）に設けられるものは、両者が係合する関係であればよく、フック部材と穴である必要はない。図で例示したフック部材である必要はなく、何らかの留め具であれば良い。第１の係合部（又は係合部）と第２の係合部（又は被係合部）の関係は、両者が係合すれば良いので、装置本体２（又は１１１）側のハウジング内部にフック部材を設けて、カバー４（又は１１３）に設けられた前記フック部材１４１と係合するように構成してもよい。
【０１２５】
図１４の（ａ）及び（ｂ）並びに図１５を参照すると、本発明による情報処理装置の更に他の実施形態が示されている。ここでは、フック機構を用いることなしに本発明の目的の少なくとも１つを達成するために、図７の（ａ）及び（ｂ）に示される装置が改造されている。
【０１２６】
装置本体１１１の両側面の各々には、薄板凸状の第１のガイド部材１６１が固着又は一体的に形成されている。第１のガイド部材１６１は、切欠き部１６１ａを有すると共に、上下にそれぞれ溝部１６１ｂを有している。
【０１２７】
カバー１１３の両側部の各々の切欠き部１６１ａに対応する部分であって、表示ユニット１１５が設けられた面（表面）１１９ａ側には、薄板凸状の第２のガイド部材１６２が固着又は一体的に形成されている。第２のガイド部材１６２は溝部１６２ａを有している。
【０１２８】
カバー１１３の両側部の各々の切欠き部１６１ａに対応する部分であって、表示ユニット１１５が設けられた面に対して反対側の面（裏面）１１９ｂ側には、第２のガイド部材１６２と対象的に形成された薄板凸状の第３のガイド部材１６３が固着又は一体的に形成されている。第３のガイド部材１６３は溝部１６３ａを有している。
【０１２９】
符号１６４はスライダ部材を表しており、スライダ部材１６４の上下の縁部１６４ａはそれぞれ概略Ｕ字に折り曲げられている。スライダ部材１６４は、縁部１６４ａが第１のガイド部材１６１の溝部１６１ｂ内に入り込んで、第１のガイド部材１６１を挟み込むように、第１のガイド部材１６１にスライド可能に嵌合されている。
【０１３０】
この情報処理装置を使用しない場合には、スライダ部材１６４を第１のガイド部材１６１の切欠き部１６１ａと反対側にスライドした状態で、カバー１１３を表示ユニット１１５がキーボードユニット１１２に対面するように第１の軸１１４を中心として閉じると、第２のガイド部材１６２が第１のガイド部材１６１の切欠き部１６１ａに位置した状態となる。この状態で、スライダ部材１６４を切欠き部１６１ａ側にスライドさせることにより、第１のガイド部材１６１と第２のガイド部材１６２がスライダ部材１６４により挟み込まれ、カバー１１３が装置本体１１１に対して閉じた状態が維持される。
【０１３１】
カバー１１３を第１の軸１１４を中心として開く場合には、スライダ部材１６４を反対側にスライドさせることにより、ロックを解除することができる。
【０１３２】
この情報処理装置を使用する場合であって、スタイラスを用いて入力操作を行う場合には、カバー１１３を開いた状態（図７の（ａ）の状態）から第２の軸１１６を反転させ、カバー１１３を裏面１１９ｂがキーボードユニット１１２に対面するように第１の軸１１４を中心として閉じると、第３のガイド部材１６３が第１のガイド部材１６１の切欠き部１６１ａに位置した状態となる。この状態で、スライダ部材１６４を切欠き部１６１ａ側にスライドさせることにより、第１のガイド部材１６１と第３のガイド部材１６３がスライド部材１６４により挟み込まれ、カバー１１３が装置本体１１１に対して閉じた状態が維持される。
【０１３３】
カバー１１３を第１の軸１１４を中心として開く場合には、スライダ部材１６４を反対側にスライドさせることにより、ロックを解除することができる。
【０１３４】
この実施形態によると、スライダ部材１６４により、第１のガイド部材１６１と第２のガイド部材１６２又は第１のガイド部材１６１と第３のガイド部材１６３を挟み込むことにより、ロックするように構成したので、表示ユニット１１５が装置本体１１１に対面した状態のみならず、表示ユニット１１５を上に向けた状態でもカバー１１３を装置本体１１１にロックすることができるようになり、いずれの状態においても支障なく持ち運びできるようになる。
【０１３５】
このように、図７乃至図１５の実施形態は、図１乃至図６の実施形態と異なるタイプの情報処理装置に本発明を適用したものであるが、図７乃至図１５の実施形態を適宜変更して図１乃至図６の実施形態に適用しても良い。そのような変更は当業者であれば極めて容易に行うことができるので、その詳細な説明は省略する。また、図５又は図６の実施形態を図７の実施形態に適用してもよい。
【０１３６】
なお、本実施の形態では、携帯型の情報処理装置を例に説明したが、情報処理装置に限定されるものではなく、他の装置への適用も可能である。又、本実施の形態又は本発明の説明に使用した、情報処理装置の語は、いわゆるコンピュータと称されるもののみならず、ＰＤＡ（ｐｅｒｓｏｎａｌ  ｄｉｇｉｔａｌ  ａｓｓｉｓｔａｎｃｅ，携帯情報端末）、携帯端末、電子手帳やワードプロセッサ等の実質的になんらかの情報を処理する装置を含むものである。又、上記携帯情報端末や電子手帳と称されるもののみならず、例えば、ビデオカメラ等の装置であっても、何らかの情報処理機能があれば、情報処理装置であることに変わりはない。又、本発明は、情報処理装置のみでなく他の電子機器も含むものである。更に、電子機器のみならず、電子的な回路等を有さない他の装置にも本発明は適用でき、本発明はそれらを包含する。
【０１３７】
以上の説明に関して更に以下の付記を開示する。
【０１３８】
（付記１）  第１面及び第２面を有する第１の部材と、
第２の部材と、
上記第１の部材の第１面が上記第２の部材に対向する第１の状態と上記第１の部材の第２面が上記第２の部材に対向する第２の状態との間で上記第１及び第２の部材が相対的に変位することができるように上記第１及び第２の部材を連結する連結手段とを備え、
上記第１の部材は、上記第１面及び上記第２面のいずれか一方から選択的に突出することができるように設けられるフック部材を有し、
上記第２の部材は、上記フック部材が係合すべき穴を有し、
上記第２の部材は第３面及び第４面を有し、
上記穴は上記第３面及び上記第４面の各々に設けられており、
上記連結手段は、各々上記第１の部材を回転可能に支持する互いに平行な２軸を含み、それにより、上記第１の状態では上記第１面及び上記第３面が互いに対向して上記フック部材が上記第３面の穴に係合し、上記第２の状態では上記第２面及び上記第４面が互いに対向して上記フック部材が上記第４面の穴に係合する情報処理装置。
【０１３９】
(付記２)  付記１に記載の装置であって、
上記第１の部材は上記第１面に表示ユニットを有し、
上記第２の部材は上記第３面にキーボードユニットを有し、
それにより、上記第１の状態では上記表示ユニット及び上記キーボードユニットが上記第１及び第２の部材間に閉じ込められ、上記第２の状態では上記表示ユニット及び上記キーボードユニットがそれぞれ上記装置の外に向く装置。
【０１４０】
（付記３）  付記１に記載の装置であって、
上記第１の部材は、該第１の部材内でスライド可能に設けられるスライダを更に有し、
上記フック部材は上記スライダに対して概ね９０°の範囲で回転可能に設けられ、
上記フック部材は概ね直交するように配置される第１の爪部及び第２の爪部を有し、
それにより、上記第１の状態では上記第１の爪部が上記穴に係合すると共に上記第２の爪部が上記第１の部材内に位置することができ、上記第２の状態では上記第２の爪部が上記穴に係合すると共に上記第１の爪部が上記第１の部材内に位置することができる装置。
【０１４１】
（付記４）  付記３に記載の装置であって、
上記第１の部材は、上記フック部材をその回転方向に付勢するスプリングを更に有している装置。
【０１４２】
（付記５）  付記１に記載の装置であって、
上記第１の部材は、該第１の部材内でスライド可能に設けられるスライダを更に有し、
上記フック部材は上記スライダに対して概ね１８０°の範囲で回転可能に設けられ、
上記フック部材は単一の爪部を有している装置。
【０１４３】
(付記６)  付記１に記載の装置であって、
上記フック部材は概ね反対方向に向く第１及び第２の爪部を有し、
上記第１及び第２の爪部の各々の長さは、上記第１の爪部が上記第１面から突出したときに上記第２の爪部が上記第１の部材内に位置し上記第２の爪部が上記第２面から突出したときに上記第１の爪部が上記第１の部材内に位置するように設定され、
上記第１の部材は、上記第１の爪部が上記第１面から突出した状態及び上記第２の爪部が上記第２面から突出した状態の各々にて上記フック部材をスライド可能に支持する手段を更に有している装置。
【０１４４】
（付記７）  第１面及び第２面を有する第１の部材と、
第３面及び第４面を有する第２の部材と、
上記第１面が上記第３面に対向する第１の状態と上記第２面が上記第４面に対向する第２の状態との間で上記第１及び第２の部材が相対的に変位することができるように上記第１及び第２の部材を連結する連結手段とを備え、
上記第１の部材は、上記第１面及び上記第２面のいずれか一方から選択的に突出することができるように設けられるフック部材を有しており、
上記第２の部材は、上記フック部材が係合すべき穴を上記第３面及び上記第４面の各々に有している情報処理装置。
【０１４５】
（付記８）  第１面及び第２面を有する第１の部材と、
第２の部材と、
上記第１の部材の第１面が上記第２の部材に対向する第１の状態と上記第１の部材の第２面が上記第２の部材に対向する第２の状態との間で上記第１及び第２の部材が相対的に変位することができるように上記第１及び第２の部材を連結する連結手段とを備え、
上記第１の部材は、上記第１の部材内にスライド可能に設けられるスライダと、該スライダに対して概ね９０°の範囲で回転可能に設けられるフック部材と、該フック部材をその回転方向に付勢するバネとを有しており、
上記第２の部材は、上記フック部材が係合すべき穴を有しており、
上記フック部材は概ね直交するように配置される第１の爪部及び第２の爪部を有しており、
それにより、上記第１の状態では上記第１の爪部が上記穴に係合すると共に上記第２の爪部が上記第１の部材内に位置することができ、上記第２の状態では上記第２の爪部が上記穴に係合すると共に上記第１の爪部が上記第１の部材内に位置することができる情報処理装置。
【０１４６】
（付記９）  付記８に記載の装置であって、
上記第２の部材は第３面及び第４面を有し、
上記穴は上記第３面に設けられており、
上記連結手段は、各々上記第１の部材を回転可能に支持する互いに直交する２軸を含み、
それにより、上記第１の状態では上記第１面及び上記第３面が互いに対向して上記フック部材が上記穴に係合し、上記第２の状態では上記第２面及び上記第３面が互いに対向して上記フック部材が上記穴に係合する装置。
【０１４７】
（付記１０）  付記９に記載の装置であって、
上記第１の部材は上記第１面に表示ユニットを有し、
上記第２の部材は上記第３面にキーボードユニットを有し、
それにより、上記第１の状態では上記表示ユニット及び上記キーボードユニットが上記第１及び第２の部材間に閉じ込められ、上記第２の状態では上記表示ユニットが上記装置の外に向く装置。
【０１４８】
（付記１１）  第１面及び第２面を有するハウジングと、
該ハウジング内にスライド可能に設けられるスライダと、
該スライダに対して概ね９０°の範囲で回転可能に設けられるフック部材と、
該フック部材をその回転方向に付勢するバネとを備え、
上記フック部材は概ね直交するように配置される第１の爪部及び第２の爪部を有しており、
上記第１の爪部は、上記第２の爪部が上記第２面から突出しているときには上記ハウジング内に位置し、上記第２の爪部は、上記第１の爪部が上記第１面から突出しているときには上記ハウジング内に位置しているフック機構。
理装置が提供される。
【０１４９】
（付記１２）  第１面及び第２面を有する第１の部材と、
第３面及び第４面を有する第２の部材と、
前記第１面が前記第３面に対向する第１の状態と前記第２面が前記第４面に対向する第２の状態との間で前記第１及び第２の部材が相対的に変位することができるように前記第１及び第２の部材を連結する連結部と、
前記第１の部材に設けられ、前記第１面側で係合可能な状態及び前記第２面側で係合可能な状態のいずれかの状態に選択的に変位する第１の係合部と、
前記第２の部材に設けられ、前記第１の係合部と係合する第２の係合部とを有する装置。
【０１５０】
（付記１３）  第１面及び第２面を有する第１の部材と、
第３面及び第４面を有する第２の部材と、
前記第１面が前記第３面に対向する第１の状態と前記第２面が前記第４面に対向する第２の状態との間で前記第１及び第２の部材が相対的に変位することができるように前記第１及び第２の部材を連結する連結部と、
前記第１の部材に設けられ、前記第１面側で係合可能な状態及び前記第２面側で係合可能な状態のいずれかの状態に選択的に変位する第１の係合部と、
前記第２の部材に設けられ、前記第１の係合部と係合する第２の係合部とを有し、
前記第１の状態では、前記第１の係合部は、前記第１面側で係合可能な状態となり、前記第２の係合部と係合し、
前記第２の状態では、前記第１の係合部は、前記第２面側で係合可能な状態となり、前記第２の係合部と係合することを特徴とする装置。
【０１５１】
（付記１４）  前記第１の係合部は、前記第１面側及び前記第２面側のいずれか側で選択的に係合するフック部材であることを特徴とする付記１２又は１３に記載の装置。
【０１５２】
（付記１５）  前記第２の係合部は、前記第２の部材に設けられた、前記フック部材と係合する穴部であることを特徴とする付記１４に記載の装置。
【０１５３】
（付記１６）  前記連結部は、前記第１の部材が前記第２の部材に対して概ね３６０°回転可能に、前記第１の部材と前記第２の部材を連結することを特徴とする付記１２又は１３に記載の装置。
【０１５４】
（付記１７）  前記連結部は、各々前記第１の部材と前記第２の部材を回転可能に支持する２軸を有することを特徴とする付記１２又は１３に記載の装置。
【０１５５】
（付記１８）  前記第１の係合部は、第１係合部材及び第２係合部材を有し、
前記第１の係合部は、前記第１係合部材が前記第１面側に位置する第３の状態と、前記第２係合部材が前記第２面側に位置する第４の状態に変位可能な付記１２又は１３に記載の装置。
【０１５６】
（付記１９）  前記第１の係合部が前記第３の状態になるように前記第１の係合部を付勢する付勢部を有する付記１８に記載の装置。
【０１５７】
（付記２０）  前記第１係合部材及び第２係合部材は概ね互いに直交するように配置され、前記第１の係合部は概ね９０°の範囲で回転可能な付記１８に記載の装置。
【０１５８】
（付記２１）  前記第１の部材は、前記第１の部材内にスライド可能に設けられるスライダを有し、前記第１係合部材及び第２係合部材は概ね互いに直交するように配置され、前記第１の係合部は該スライダに対して概ね９０°の範囲で回転可能に設けられる付記１８に記載の装置。
【０１５９】
（付記２２)  前記第１の係合部をその回転方向に付勢する付勢部材を有する付記２０又は２１に記載の装置。
【０１６０】
（付記２３）  前記第１の係合部が第３の状態になるように前記第１の係合部を付勢する付勢部を有する付記２０又は２１に記載の装置。
【０１６１】
（付記２４）  前記第１の係合部は係合部材を有し、前記第１の係合部は、前記係合部材が前記第１面に位置する第３の状態と、前記係合部材が前記第２面に位置する第４の状態に変位可能な付記１２又は１３に記載の装置。
【０１６２】
（付記２５）  前記係合部材は概ね１８０°回転可能に、前記第１の係合部に配置される付記２４に記載の装置。
【０１６３】
（付記２６）  前記第１の部材内にスライダを有し、
前記第１の係合部は該スライダに設けられ、前記係合部材は、概ね１８０°の範囲で回転可能に設けられる付記２４に記載の装置。
【０１６４】
（付記２７）  前記第１の係合部は、互いに反対方向に向く第１係合部材と第２係合部材を有し、前記第１の係合部は、前記第１の部材の第１面と第２面の方向に移動可能に前記第１の部材に配置され、
前記第１の係合部が前記第１面の方向に移動したときに前記第１係合部材が前記第１面の側に位置する第３の状態と、前記第１の係合部が前記第２面の方向に移動したときに前記第２係合部材が前記第２面の側に位置する第４の状態に前記第１の係合部が変位可能な付記１２又は１３に記載の装置。
【０１６５】
（付記２８）  前記第１の部材はスライダを有し、
前記第１の係合部は該スライダに設けられることを特徴とする付記２７に記載の装置。
【０１６６】
（付記２９）  前記第１面に表示装置を有する付記１２乃至２８のいずれか１項に記載の装置。
【０１６７】
（付記３０）  前記第３面に入力装置を有する付記１２乃至２８のいずれか１項に記載の装置。
【０１６８】
（付記３１）  前記第１面にタッチ入力装置を有する付記１２乃至２８のいずれか１項に記載の装置。
【０１６９】
（付記３２）  前記第１の係合部はフック部材であり、前記第１係合部材及び第２係合部材はそれぞれ第１の爪部及び第２の爪部である付記１８又は２７に記載の装置。
【０１７０】
（付記３３）  第１面及び第２面を有する第１の部材と、
第２の部材と、
前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、
前記第１の部材に設けられた、前記第１面側及び前記第２面側のいずれかに選択的に機能する第１の係合部であって、前記第１面側で機能する第１係合部材と前記第２面側で機能する第２係合部材を有する第１の係合部と、
前記第２の部材に設けられた、前記第１の係合部と係合する第２の係合部と、
前記第１の係合部の前記第１係合部材が前記第１面側で機能する状態に付勢する付勢部とを有することを特徴とする装置。
【０１７１】
（付記３４）  前記第１の係合部は概ね直交するように前記第１係合部材と前記第２係合部材を配置して構成され、前記第１の係合部は前記第１の部材に概ね９０°の範囲で回転可能に配置され、
前記付勢部は前記第１の係合部をその回転方向に付勢することを特徴とする付記３３に記載の装置。
【０１７２】
（付記３５）  第１面及び第２面を有する第１の部材と、
第２の部材と、
前記第１の部材の第１面が前記第２の部材に対向する第１の状態と前記第１の部材の第２面が前記第２の部材に対向する第２の状態との間で前記第１及び第２の部材が相対的に変位することができるように前記第１及び第２の部材を連結する連結部と、
前記第１の部材に位置し、前記第１面側及び前記第２面側のいずれかに選択的に機能する第１の係合部であって、概ね直交するように配置された前記第１面側で機能する第１係合部材と前記第２面側で機能する第２係合部材を有し、前記第１の部材に概ね９０°の範囲で回転可能に配置された第１の係合部と、
前記第２の部材に配置され、前記第１の係合部と係合する第２の係合部と、
前記第１の係合部を回転方向に付勢する付勢部とを有することを特徴とする装置。
【０１７３】
（付記３６）  前記第１の部材はスライダを有し、前記第１の係合部は前記スライダに配置されている付記３３乃至３５のいずれか１項に記載の装置。
【０１７４】
（付記３７）  前記第１の部材はスライダを有し、前記第１の係合部は前記スライダに回転可能に配置されている付記３３乃至３５のいずれか１項に記載の装置。
【０１７５】
（付記３８）  前記第１の状態では前記第１係合部材が前記第２の係合部と係合すると共に前記第２係合部材が前記第１の部材内に位置し、
前記第２の状態では前記第２係合部材が前記第２の係合部と係合すると共に前記第１係合部材が前記第１の部材内に位置する付記３３乃至３７のいずれか１項に記載の装置。
【０１７６】
（付記３９）  前記連結部は、前記第１の部材を回転可能に支持する互いに直交する２軸を有する付記３３乃至３７のいずれか１項に記載の装置。
【０１７７】
（付記４０）  前記第２の部材は第３面及び第４面を有し、
前記連結部は、前記第１面が前記第３面に対向する第１の状態と前記第２面が前記第４面に対向する第２の状態との間で前記第１及び第２の部材が相対的に変位することができるように前記第１及び第２の部材を連結する付記３３乃至３７のいずれか１項に記載の装置。
【０１７８】
（付記４１）  前記連結部は各々前記第１の部材又は第２の部材を回転可能に支持する２軸を有する付記４０に記載の装置。
【０１７９】
（付記４２）  前記第１の状態では前記第１面及び第３面が互いに対向して前記第１の係合部と第２の係合部が係合し、前記第２の状態では前記第２面及び前記第４面が互いに対向して前記第１の係合部と第２の係合部が係合する付記４０に記載の装置。
【０１８０】
（付記４３）  第１面及び第２面を有するハウジングと、
前記ハウジングに対して概ね９０°の範囲で回転可能に設けられる係合部と、
前記係合部をその回転方向に付勢する付勢部とを備え、
前記係合部は概ね直交するように配置される第１係合部材及び第２係合部材を有しており、
前記第１係合部材は、前記第２係合部材が前記第２面側に位置しているときには前記ハウジング内に位置し、前記第２係合部材は、前記第１係合部材が前記第１面側に位置しているときには前記ハウジング内に位置している係合機構。
【０１８１】
（付記４４）  第１面及び第２面を有するハウジングと、
前記ハウジングに設けられた、前記第１面及び前記第２面のいずれか１方向に選択的に機能する係合部であって、前記第１面側で機能する第１係合部材と前記第２面側で機能する第２係合部材を有する係合部と、
前記係合部の第１係合部材が、前記第１面側で機能する状態に付勢する付勢部とを有することを特徴とする係合機構。
【０１８２】
（付記４５）  前記係合部はフック部材であり、前記第１係合部材，第２係合部材はそれぞれ第１の爪部及び第２の爪部である付記３３乃至４４いずれか１項に記載の装置又は係合機構。
【図面の簡単な説明】
【０１８３】
【図１】図１は本発明による情報処理装置の実施形態における第１の状態を示す斜視図である。
【図２】図２は本発明における情報処理装置の実施形態における第１及び第２の状態の間の状態を示す斜視図である。
【図３】図３は本発明による情報処理装置の実施形態における第２の状態を示す斜視図である。
【図４】図４は本発明に適用可能な連結部材の平面図である。
【図５】図５の（Ａ）及び（Ｂ）は本発明に適用可能なフック機構の第１実施形態を示す断面図である。
【図６】図６はフック機構の第１実施形態の主要部を示す分解斜視図である。
【図７】図７の（ａ）及び（ｂ）は本発明による情報処理装置の他の実施形態を示す斜視図である。
【図８】図８の（ａ）及び（ｂ）は本発明に適用可能なフック機構の第２実施形態を示す断面図である。
【図９】図９はフック機構の第２実施形態の主要部を示す分解斜視図である。
【図１０】図１０の（ａ）及び（ｂ）は本発明に適用可能なフック機構の第３実施形態を示す断面図である。
【図１１】図１１はフック機構の第３実施形態の主要部を示す分解斜視図である。
【図１２】図１２の（ａ）及び（ｂ）は本発明に適用可能なフック機構の第４実施形態を示す断面図である。
【図１３】図１３はフック機構の第４実施形態の主要部を示す分解斜視図である。
【図１４】図１４の（ａ）及び（ｂ）はそれぞれ本発明による情報処理装置の更に他の実施形態の主要部を示す側面図及び断面図である。
【図１５】図１５は図１４の（ａ）及び（ｂ）に示される主要部の分解斜視図である。
【符号の説明】
【０１８４】
２，１１    装置本体
４，１１３    カバー
６    連結部材
１２，１１２    キーボードユニット
１８，１１５    表示ユニット
２８，１２２，１３１，１４１    フック部材
【図１】
2004310800.tif 000003
【図２】
2004310800.tif 000004
【図３】
2004310800.tif 000005
【図４】
2004310800.tif 000006
【図５】
2004310800.tif 000007
【図６】
2004310800.tif 000008
【図７】
2004310800.tif 000009
【図８】
2004310800.tif 000010
【図９】
2004310800.tif 000011
【図１０】
2004310800.tif 000012
【図１１】
2004310800.tif 000013
【図１２】
2004310800.tif 000014
【図１３】
2004310800.tif 000015
【図１４】
2004310800.tif 000016
【図１５】
2004310800.tif 000017